(57)【特許請求の範囲】
【請求項１】
気密な内視鏡の外壁部に付勢力で閉じられた状態に設けられた内外連通弁に対して接続／分離自在な接続口金が、加圧チューブの先端に着脱自在に取り付けられた内視鏡用リークテスタであって、上記内外連通弁は、上記接続口金が接続されると上記付勢力に抗して開いた状態になって、上記内視鏡の内部と外部との間が連通した状態になるように構成されたものにおいて、
上記接続口金に、上記加圧チューブに対する着脱状態に連動して作動して、上記接続口金が上記加圧チューブに取り付けられた状態になっていない時は上記接続口金を上記内外連通弁に接続できなくする接続規制手段を設けたことを特徴とする内視鏡用リークテスタ。
【請求項２】
上記接続規制手段には、上記接続口金が上記加圧チューブに対して着脱される動作により軸線周り方向に回転駆動され、それにより軸線方向に移動して上記接続口金を上記内外連通弁に接続できない状態にする螺動機構が備えられている請求項１記載の内視鏡用リークテスタ。
【請求項３】
上記加圧チューブの先端に、上記接続規制手段と係合する係合爪を備えて上記接続口金に差し込まれる硬質の差込筒が突設されている請求項２記載の内視鏡用リークテスタ。
【請求項４】
上記接続口金が上記加圧チューブに対して着脱される動作以外の振動等で上記接続規制手段が動作しないように、上記接続規制手段に対して摩擦抵抗を付与するためのスプリングが設けられている請求項２又は３記載の内視鏡用リークテスタ。
【発明の詳細な説明】
【技術分野】
【０００１】
この発明は内視鏡用リークテスタに関する。
【背景技術】
【０００２】
内視鏡は、使用後に洗浄液等に浸漬して洗浄消毒することができるように水密に構成されているが、エチレンオキサイドガス滅菌装置等に入れられて周囲が減圧された環境になると、柔軟な湾曲ゴムなどが膨らんでパンクするおそれがある。また、外壁のどこかにピンホール等ができているのを知らずに洗浄液等に浸漬すると、内部への水漏れにより総分解等を伴う重修理が必要になってしまう。
【０００３】
そこで、エチレンオキサイドガス滅菌処理の際やピンホール検査（例えば、内視鏡の内部空間を加圧してその後の圧力変化を計測（又は、水中に浸漬）することによりピンホールの有無を検出する）の際だけ開くようにすることができる内外連通弁が内視鏡の外壁部に設けられている。
【０００４】
そのような内外連通弁は旧来においては、弁体が付勢手段により内方から外方に向かって弁座に押し付けられて内視鏡の内部と外部との間を遮蔽しており、エチレンオキサイドガス滅菌処理中に内外連通弁に取り付けられる弁開放アダプタ（又はピンホール検査を行うためのリークテスタの接続口金）が取り付けられた状態では、付勢手段の付勢力に抗して弁体が押されて、内外連通弁が強制的に開状態になるように構成されていた（例えば、特許文献１）。
【０００５】
しかし、弁体が内方から外方に向かって付勢されているそのようなオートクレーブ非対応型内視鏡の内外連通弁の場合は、内視鏡内への高圧蒸気の浸入を阻止し且つ湾曲ゴム等のパンクを防止する、という機能を得ることができない。
【０００６】
そこで、オートクレーブでの滅菌処理を考慮したオートクレーブ対応型内視鏡の内外連通弁は、弁体が付勢手段により外方から内方に向かって弁座に押し付けられて内視鏡の内部と外部との間を遮蔽している（例えば、特許文献２）。
【０００７】
そして、そのようなオートクレーブ対応型内視鏡の内外連通弁に取り付けられる弁開放アダプタは、内外連通弁に対して着脱される動作の途中においてのみ内外連通弁を強制的に開状態にするようになっている。
【特許文献１】特開平５−３００８７１
【特許文献２】特開平８−３１７８９７
【発明の開示】
【発明が解決しようとする課題】
【０００８】
上述のようなオートクレーブ対応型及びオートクレーブ非対応型のいずれの内視鏡の場合も日常的にピンホール検査を行う必要があるが、リークテスタの加圧チューブの先端に取り付けられている接続口金は、接続相手の内外連通弁がオートクレーブ対応型の内視鏡であるか非対応型であるかにより相違したものになる。
【０００９】
しかし、リークテスタ全体で見ると、接続口金以外の部分は全て、接続相手がオートクレーブ対応型の内視鏡であっても非対応型であっても同じもので済むので、リークテスタを丸々二セット備えることは経済的に大きな無駄である。
【００１０】
そこで、接続口金を加圧チューブの先端に着脱自在に取り付けて、接続相手がオートクレーブ対応型の内視鏡であるか非対応型であるかにより接続口金だけを交換できるようにすることが考えられる。
【００１１】
しかし、加圧チューブの先端から外された接続口金は、オートクレーブ対応型用及びオートクレーブ非対応型用のいずれの場合も、滅菌処理の際にのみ内外連通弁に取り付けられる弁開放アダプタと外観が似ているので、滅菌処理等の際に内外連通弁に誤ってリークテスタの接続口金を取り付けてしまうおそれがある。
【００１２】
もしそのような誤装着がなされると、オートクレーブ対応型の場合は高温高圧の蒸気が内視鏡内に充満して内視鏡が破滅的なダメージを受け、オートクレーブ非対応型の場合は、水没させることにより内外連通弁から内視鏡内に漏水して、内視鏡が相当のダメージを受けることになる。なお、エチレンオキサイドガス滅菌用の弁開放アダプタには、気体は通すが水分は通さないフィルタが取り付けられている。
【００１３】
本発明は、内視鏡の内外連通弁に接続される接続口金を加圧チューブの先端に対して着脱自在に構成したものであっても、滅菌処理時に弁開放アダプタと間違えて接続口金を内外連通弁に取り付けてしまう誤装着が発生しない内視鏡用リークテスタを提供することを目的とする。
【課題を解決するための手段】
【００１４】
上記の目的を達成するため、本発明の内視鏡用リークテスタは、気密な内視鏡の外壁部に付勢力で閉じられた状態に設けられた内外連通弁に対して接続／分離自在な接続口金が、加圧チューブの先端に着脱自在に取り付けられた内視鏡用リークテスタであって、内外連通弁は、接続口金が接続されると付勢力に抗して開いた状態になって、内視鏡の内部と外部との間が連通した状態になるように構成されたものにおいて、接続口金に、加圧チューブに対する着脱状態に連動して作動して、接続口金が加圧チューブに取り付けられた状態になっていない時は接続口金を内外連通弁に接続できなくする接続規制手段を設けたものである。
【００１５】
なお、接続規制手段には、接続口金が加圧チューブに対して着脱される動作により軸線周り方向に回転駆動され、それにより軸線方向に移動して接続口金を内外連通弁に接続できない状態にする螺動機構が備えられていてもよい。
【００１６】
また、加圧チューブの先端に、接続規制手段と係合する係合爪を備えて接続口金に差し込まれる硬質の差込筒が突設されていてもよく、接続口金が加圧チューブに対して着脱される動作以外の振動等で接続規制手段が動作しないように、接続規制手段に対して摩擦抵抗を付与するためのスプリングが設けられていてもよい。
【発明の効果】
【００１７】
本発明によれば、接続口金に、加圧チューブに対する着脱状態に連動して作動して、接続口金が加圧チューブに取り付けられた状態になっていない時は接続口金を内外連通弁に接続できなくする接続規制手段を設けたことにより、内視鏡の内外連通弁に接続される接続口金を加圧チューブの先端に対して着脱自在に構成したものであっても、滅菌処理時に弁開放アダプタと間違えて接続口金を内外連通弁に取り付けてしまう誤装着が発生しない。
【発明を実施するための最良の形態】
【００１８】
気密な内視鏡の外壁部に付勢力で閉じられた状態に設けられた内外連通弁に対して接続／分離自在な接続口金が、加圧チューブの先端に着脱自在に取り付けられた内視鏡用リークテスタであって、内外連通弁は、接続口金が接続されると付勢力に抗して開いた状態になって、内視鏡の内部と外部との間が連通した状態になるように構成されたものにおいて、接続口金に、加圧チューブに対する着脱状態に連動して作動して、接続口金が加圧チューブに取り付けられた状態になっていない時は接続口金を内外連通弁に接続できなくする接続規制手段を設ける。
【実施例】
【００１９】
以下、図面を参照して本発明の実施例を説明する。
図２において、５０は内視鏡である。その外壁部は全て気密に構成されていて、内部は全体的に連通している。そして、図示されていないビデオプロセッサに接続されるコネクタ部５１の外壁には、内外連通弁５２が外方に突出して設けられている。
【００２０】
内外連通弁５２は、通常は付勢力で閉じられた状態になっていて、その付勢力に抗して開いた状態にすると、内視鏡５０の内部と外部との間を連通させるように動作するものである。
【００２１】
１は、内視鏡用リークテスタの一例であり、空気を加圧して送り出すためのゴム球状の手動加圧ポンプ２、圧力計３、手動加圧ポンプ２の出口近くに設けられて加圧空気の流路を大気開放することができる圧力開放弁４、加圧空気によって膨らませられるバルーン５、及びバルーン５から排出される加圧空気が通過する加圧チューブ６等を備えている。なお、加圧手段は光源装置や送気装置等に設けられたポンプでもよい。
【００２２】
加圧チューブ６の先端には、内外連通弁５２に対して接続／分離自在な接続口金２０，２０′が着脱自在に取り付けられる。ただし、加圧チューブ６自体の先端に接続口金２０，２０′が直接着脱されるのではなく、接続口金２０，２０′を着脱自在なチューブ先端口金７が加圧チューブ６の先端に設けられている。
【００２３】
内視鏡５０の内外連通弁５２は、内視鏡５０がオートクレーブ対応型であるか非対応型であるかにより相違している（非対応型内視鏡の内外連通弁は５２′）。したがって、接続口金２０，２０′も、オートクレーブ対応型用の接続口金２０と非対応型用の接続口金２０′の二種類が設けられており、二種類の接続口金２０，２０′が同じチューブ先端口金７に対して着脱自在になっている。２１，２１′は、内外連通弁５２（５２′）の側面に突設された係合ピン５３と係合するように接続口金２０，２０′に形成された係合溝である。
【００２４】
このように、本発明の内視鏡用リークテスタにおいては、接続相手がオートクレーブ対応型の内視鏡であるか非対応型であるかにより接続口金２０，２０′だけを交換して、どちらにも同じリークテスタ１を使用することができるので、経済的なロスを避けることができる。
【００２５】
図３は、オートクレーブ対応型内視鏡の内外連通弁５２に接続するための接続口金２０がチューブ先端口金７に取り付けられていない状態を示し、図４は、その接続口金２０がチューブ先端口金７に取り付けられた状態を示し、図５は、その接続口金２０が内外連通弁５２に接続された状態を示している。
【００２６】
図３及び図４に示されるように、内外連通弁５２には、コネクタ部５１内に連通する状態にコネクタ部５１の外壁に固定的に突設された支持筒体５４の突端側の外面部分に弁座５５が形成されている。弁座５５は凹の円錐面状に形成されていて、その弁座５５に圧接されるＯリング５６が装着された弁体５７が、軸線方向に進退自在に支持筒体５４の軸線位置に配置されている。
【００２７】
弁体５７は、圧縮コイルスプリング５８により支持筒体５４内に引き込まれる方向（したがって、Ｏリング５６が弁座５５に圧接される方向）に付勢され、常態においては、Ｏリング５６が圧縮コイルスプリング５８の付勢力により弁座５５に圧接された閉弁状態になっている。５９は、圧縮コイルスプリング５８の一端側を受けるように弁体５７の奥側端部付近に取り付けられたばね受け部材である。
【００２８】
支持筒体５４の側壁部には、弁体５７から側方に突出して設けられた駆動ピン６１を押し上げるためのカム面６２が形成されており、弁体５７が軸線周りに回転駆動されると、駆動ピン６１がカム面６２で押し上げられて、Ｏリング５６が弁座５５から離された強制的な開弁状態になる（図５参照）。
【００２９】
６３は、弁体５７を軸線周りに回転駆動することができるように弁体５７の突端外縁部に形成された切り欠き部である。６４は、接続口金２０や図示されていない弁開放アダプタを受けるために支持筒体５４の外周面に固定された接続筒であり、部品加工及び組み立ての都合で支持筒体５４と別体になっている。
【００３０】
チューブ先端口金７は、加圧チューブ６の先端に固定的に差し込み接続されていて、その軸線位置に真っ直ぐに突出形成された硬質の差込筒７１の先端近傍の外周面に、接続口金２０側の接続規制手段（雄ねじ環２４）と係合する係合爪７２が突出形成されている。
【００３１】
内外連通弁５２の係合ピン５３と係合する接続口金２０の係合溝２１は、接続受筒６４に被嵌接続される略円筒形状の接続筒２２の開口部側壁に略Ｌ字状に形成されている（図２参照）。２３は、接続筒２２の内周面と接続受筒６４の外周面との間をシールするために接続筒２２の内周部に装着されたＯリングである。
【００３２】
接続口金２０内に軸線周りに回転自在に配置された雄ねじ環２４には、チューブ先端口金７の差込筒７１が挿入される孔が軸線位置に貫通形成されると共に、図４におけるVI−VI断面を図示する図６に示されるように、差込筒７１の先端近傍に耳状に突出形成された係合爪７２がすっぽり嵌まり込む状態に係合する係合凹部２５が形成されている。
【００３３】
図３及び図４に戻って、雄ねじ環２４は、接続筒２２にビス止め固定された支持筒２６に支持される状態で、軸線周りに回転自在にしかし軸線方向には移動できないように接続口金２０内に配置されている。２７は、雄ねじ環２４の軸線方向移動を規制する押さえ部材である。
【００３４】
差込筒７１が真っ先に差し込まれる位置にある支持筒２６には、差込筒７１と係合爪７２がピッタリと通過可能な形状の孔（図６に示される雄ねじ環２４の孔部と同形状の孔）が軸線位置に貫通形成されている。したがって、差込筒７１の係合爪７２は、支持筒２６内を通過して雄ねじ環２４の係合凹部２５と係合することができる。
【００３５】
このような構成により、図４に示されるように、チューブ先端口金７の差込筒７１を接続口金２０に差し込み、係合爪７２が雄ねじ環２４の係合凹部２５に係合する状態にして差込筒７１を軸線周りに回転させると、係合爪７２により雄ねじ環２４が軸線周りに回転駆動される。
【００３６】
そして、係合爪７２の軸線方向移動が支持筒２６によって規制された状態になって、差込筒７１が接続口金２０から抜けなくなり、差込筒７１を元の回転位置まで戻すと、差込筒７１を接続口金２０から抜き出すことができる状態に戻る。
【００３７】
雄ねじ環２４の外周面には雄ねじが形成されていて、雄ねじ環２４の外周を囲む状態に配置された雌ねじ環２９に形成されている雌ねじと螺合している。３０が、その螺合部であり、雄ねじ環２４と雌ねじ環２９によって本発明の接続規制手段が構成されている。
【００３８】
図６に示されるように、雌ねじ環２９の外周部と接続筒２２の内周部には、雌ねじ環２９が接続筒２２に対して軸線方向には移動自在であるが軸線周りに回転できないように規制する凹溝と凸部との係合部Ａが形成されている。
【００３９】
その結果、雄ねじ環２４が係合爪７２により軸線周りに回転駆動されると、螺合部３０において雄ねじ環２４と螺合している雌ねじ環２９が軸線方向に移動する。３１は、図５におけるVII−VII断面を図示する図７にも断面が示されるように、内外連通弁５２の切り欠き部６３と係合するように雌ねじ環２９に突出形成された係合突起である。
【００４０】
３２は、雌ねじ環２９を軸線方向に押す状態に装着された圧縮コイルスプリングであり、雌ねじ環２９に対して摩擦抵抗を付与するためのものである。このような圧縮コイルスプリング３２が設けられていることにより、雌ねじ環２９が振動等で勝手に（即ち、接続口金２０を加圧チューブ６のチューブ先端口金７に対し着脱する動作以外の力で）動いてしまうことを防止することができる。
【００４１】
このように構成された実施例の内視鏡用リークテスタにおいては、図３に示されるように、加圧チューブ６の先端に取り付けられている差込筒７１が接続口金２０に差し込まれていない状態では、雌ねじ環２９が内外連通弁５２寄りに下がった状態になっている。
【００４２】
そして、図４に示されるように、差込筒７１が接続口金２０に差し込まれて軸線周りに回転された状態になると、螺合部３０の作用により、雌ねじ環２９が圧縮コイルスプリング３２を圧縮させてチューブ先端口金７側に引き寄せられた状態になる。
【００４３】
さらにその状態において、図５に示されるように、接続口金２０を内外連通弁５２に接続すれば、内外連通弁５２の係合ピン５３が接続口金２０の係合溝２１内に係合して、接続口金２０を内外連通弁５２に対して軸線周りに回転させることができ、係合突起３１と切り欠き部６３との係合により弁体５７が軸線周りに回転して、駆動ピン６１がカム面６２により押し上げられた強制的開弁状態になり、加圧チューブ６から内視鏡５０内に加圧空気を注入してピンホール検査等を行うことができる。
【００４４】
しかし、図３に示されるように、加圧チューブ６の先端に取り付けられている差込筒７１が接続口金２０に差し込まれていない状態において、接続口金２０を内外連通弁５２に接続しようとすると、図１に示されるように、内外連通弁５２寄りに下がった状態になっている雌ねじ環２９が接続受筒６４の上端面にぶつかって、内外連通弁５２の係合ピン５３が接続口金２０の係合溝２１内に係合することができない。
【００４５】
したがって、内外連通弁５２に接続される接続口金２０を加圧チューブ６の先端に対して着脱自在に構成したものであっても、滅菌処理時に接続口金２０を弁開放アダプタと間違えて内外連通弁５２に取り付ける誤装着が発生しない。
【００４６】
このように、雄ねじ環２４と雌ねじ環２９が、加圧チューブ６に対する接続口金２０の着脱状態に連動して作動して、加圧チューブ６に接続口金２０が取り付けられた状態になっていない時は接続口金２０を内外連通弁５２に接続できなくする接続規制手段を構成している。
【００４７】
そのような雄ねじ環２４と雌ねじ環２９は、接続口金２０が加圧チューブ６に対して着脱される動作により雄ねじ環２４が軸線周り方向に回転駆動され、それにより雌ねじ環２９が軸線方向に移動して接続口金２０を内外連通弁５２に接続できなくする螺動機構である。ただし本発明では、接続規制手段としてそれ以外の手段を用いてもよい。
【００４８】
図８は、オートクレーブ非対応型内視鏡の内外連通弁５２′に接続するための接続口金２０′がチューブ先端口金７に取り付けられていない状態を示し、図９は、その接続口金２０′がチューブ先端口金７に取り付けられた状態を示し、図１０は、その接続口金２０′が内外連通弁５２′に接続された状態を示している。
【００４９】
オートクレーブ非対応型内視鏡の内外連通弁５２′は、弁座５５′が接続受筒６４の内面に形成されている。そして、弁体５７′のＯリング５６′が圧縮コイルスプリング５８′の付勢力で内側から弁座５５′に圧接していて、弁体５７′が軸線方向に外方から内側に真っ直ぐに押されると開弁状態になる。オートクレーブ対応型内視鏡の内外連通弁５２に設けられている駆動ピン６１とカム面６２は設けられていない。その他の構成はオートクレーブ対応型内視鏡の内外連通弁５２と同様なので、図中に「′」を付加した同じ符号を付してその詳細な説明は省略する。
【００５０】
オートクレーブ非対応型内視鏡の内外連通弁５２′に接続される接続口金２０′においては、係合突起３１′が弁体５７′を軸線方向に外方から真っ直ぐに押すように雌ねじ環２９′の軸線位置に下方に向けて突出形成されている。その他の構成はオートクレーブ対応型内視鏡の内外連通弁５２に接続される接続口金２０と同様なので、その詳細な説明は省略する。
【００５１】
このようなオートクレーブ非対応型内視鏡用の装置の場合にも、加圧チューブ６とチューブ先端口金７はオートクレーブ対応型内視鏡用の場合と同じものを用いて、図９に示されるようにオ−トクレ−ブ非対応型内視鏡用の接続口金２０′をチューブ先端口金７に取り付けて使用することができる。
【００５２】
そして、図１０に示されるように、接続口金２０′を内外連通弁５２′に接続すれば、係合突起３１′が弁体５７′を押し下げて強制的開弁状態になり、加圧チューブ６から内視鏡５０内に加圧空気を注入してピンホール検査等を行うことができる。
【００５３】
しかし、図８に示されるように、加圧チューブ６の先端に取り付けられている差込筒７１が接続口金２０′に差し込まれていない状態において、接続口金２０′を内外連通弁５２′に接続しようとすると、図１１に示されるように、内外連通弁５２′寄りに下がった状態になっている雌ねじ環２９′が接続受筒６４′の上端面にぶつかって、内外連通弁５２′の係合ピン５３′が接続口金２０′の係合溝２１′内に係合することができない。
【００５４】
したがって、内外連通弁５２′に接続される接続口金２０′を加圧チューブ６の先端に対して着脱自在に構成したものであっても、滅菌処理時に接続口金２０′を弁開放アダプタと間違えて内外連通弁５２′に取り付ける誤装着が発生しない。
【図面の簡単な説明】
【００５５】
【図１】本発明の実施例のオートクレーブ対応型内視鏡の内外連通弁に接続口金が接続できない状態の縦断面図である。
【図２】本発明の実施例の内視鏡とリークテスタの全体構成図である。
【図３】本発明の実施例のオートクレーブ対応型内視鏡の内外連通弁と接続口金と加圧チューブとが全て分離された状態の縦断面図である。
【図４】本発明の実施例のオートクレーブ対応型内視鏡の接続口金が加圧チューブに取り付けられた状態の縦断面図である。
【図５】本発明の実施例のオートクレーブ対応型内視鏡の内外連通弁に接続口金が接続された状態の縦断面図である。
【図６】本発明の実施例の内視鏡用リークテスタの図４におけるVI−VI断面図である。
【図７】本発明の実施例の内視鏡用リークテスタの図５におけるVII−VII断面図である。
【図８】本発明の実施例のオートクレーブ非対応型内視鏡の内外連通弁と接続口金と加圧チューブとが全て分離された状態の縦断面図である。
【図９】本発明の実施例のオートクレーブ非対応型内視鏡の接続口金が加圧チューブに取り付けられた状態の縦断面図である。
【図１０】本発明の実施例のオートクレーブ非対応型内視鏡の内外連通弁に接続口金が接続された状態の縦断面図である。
【図１１】本発明の実施例のオートクレーブ非対応型内視鏡の内外連通弁に接続口金が接続できない状態の縦断面図である。
【符号の説明】
【００５６】
１  リークテスタ
６  加圧チューブ
７  チューブ先端口金
２０  オートクレーブ対応型内視鏡用の接続口金
２１  オートクレーブ対応型内視鏡用の接続口金の係合溝
２４  オートクレーブ対応型内視鏡用の接続口金の雄ねじ環（接続規制手段）
２９  オートクレーブ対応型内視鏡用の接続口金の雌ねじ環（接続規制手段）
３０  オートクレーブ対応型内視鏡用の接続口金の螺合部
３１  オートクレーブ対応型内視鏡用の接続口金の係合突起
３２  オートクレーブ対応型内視鏡用の接続口金の圧縮コイルスプリング
５０  内視鏡
５２  オートクレーブ対応型内視鏡の内外連通弁
５３  オートクレーブ対応型内視鏡の内外連通弁の係合ピン
５７  オートクレーブ対応型内視鏡の内外連通弁の弁体
２０′  オートクレーブ非対応型内視鏡用の接続口金
２１′  オートクレーブ非対応型内視鏡用の接続口金の係合溝
２４′  オートクレーブ非対応型内視鏡用の接続口金の雄ねじ環（接続規制手段）
２９′  オートクレーブ非対応型内視鏡用の接続口金の雌ねじ環（接続規制手段）
３０′  オートクレーブ非対応型内視鏡用の接続口金の螺合部
３１′  オートクレーブ非対応型内視鏡用の接続口金の係合突起
３２′  オートクレーブ非対応型内視鏡用の接続口金の圧縮コイルスプリング
５２′  オートクレーブ非対応型内視鏡の内外連通弁
５３′  オートクレーブ非対応型内視鏡の内外連通弁の係合ピン
５７′  オートクレーブ非対応型内視鏡の内外連通弁の弁体
７１  差込筒
７２  係合爪
【図１】
0004996395.tif 000002
【図２】
0004996395.tif 000003
【図３】
0004996395.tif 000004
【図４】
0004996395.tif 000005
【図５】
0004996395.tif 000006
【図６】
0004996395.tif 000007
【図７】
0004996395.tif 000008
【図８】
0004996395.tif 000009
【図９】
0004996395.tif 000010
【図１０】
0004996395.tif 000011
【図１１】
0004996395.tif 000012